(57)【要約】【課題】異なる条件として複数のハイライト文字を入力した場合に、これらの条件をどの程度満たすかがハイライト付与率として表示される特許情報処理装置を提供すること。【解決手段】本発明の特許情報処理装置は、処理手段４０には、ハイライト付与文字検索部４１と、ハイライト付与率演算部４２と、ハイライト表示処理部４４とを有し、表示手段３０では、案件データ別に、ハイライト表示処理部４４で付与された着色を表示するとともに、ハイライト付与率演算部４２で演算されたハイライト付与率を表示することを特徴とする。【選択図】        図１
2015138288.tif 000002
【特許請求の範囲】
【請求項１】
設定したテーマに基づく案件データを収集した特許情報データを蓄積し、着色を付与したいハイライト付与文字を入力手段から入力し、前記ハイライト付与文字に対して前記着色を付与して前記特許情報データを表示し、
前記ハイライト付与文字として、少なくとも第１ハイライト付与文字と第２ハイライト付与文字とを入力でき、
前記第１ハイライト付与文字に対しては、前記着色として第１着色を指定でき、
前記第２ハイライト付与文字に対しては、前記着色として第２着色を指定できる特許情報処理装置であって、
処理手段には、
前記案件データ別に、前記第１ハイライト付与文字及び前記第２ハイライト付与文字を含むか否かを検索するハイライト付与文字検索部と、
前記案件データ別に、前記ハイライト付与文字を全く含まないか、前記第１ハイライト付与文字だけを含むか、前記第２ハイライト付与文字だけを含むか、又は前記第１ハイライト付与文字及び前記第２ハイライト付与文字を含むかによるハイライト付与率を演算するハイライト付与率演算部と、
前記第１ハイライト付与文字に対しては前記第１着色を付与し、前記第２ハイライト付与文字に対しては前記第２着色を付与するハイライト表示処理部と
を有し、
表示手段では、前記案件データ別に、前記ハイライト表示処理部で付与された前記着色を表示するとともに、前記ハイライト付与率演算部で演算された前記ハイライト付与率を表示することを特徴とする特許情報処理装置。
【請求項２】
前記入力手段では、前記第１ハイライト付与文字と前記第２ハイライト付与文字との重み付けを指定でき、
前記処理手段には、前記重み付けが指定されている場合には、前記ハイライト付与率演算部での前記ハイライト付与率の演算にあたって、指定された前記重み付けの処理を行う重み付け処理部を有することを特徴とする請求項１に記載の特許情報処理装置。
【請求項３】
前記第１ハイライト付与文字及び前記第２ハイライト付与文字は、それぞれが複数の異なる文字を択一的条件で入力できるとともに、前記ハイライト付与文字としてＦＩ及びＦタームを入力できることを特徴とする請求項１又は請求項２に記載の特許情報処理装置。
【請求項４】
設定したテーマに基づく案件データを収集した特許情報データを蓄積し、着色を付与したいハイライト付与文字を入力手段から入力し、前記ハイライト付与文字に対して前記着色を付与して前記特許情報データを表示し、
前記入力手段では、少なくとも第１論理式と第２論理式とを入力でき、
前記第１論理式に対しては、
前記ハイライト付与文字として、少なくとも第１ハイライト付与文字と第２ハイライト付与文字とを入力でき、
前記第１ハイライト付与文字に対しては、前記着色として第１着色を指定でき、
前記第２ハイライト付与文字に対しては、前記着色として第２着色を指定でき、
前記第２論理式に対しては、
前記ハイライト付与文字として、少なくとも第３ハイライト付与文字と第４ハイライト付与文字とを入力でき、
前記第３ハイライト付与文字に対しては、前記着色として第３着色を指定でき、
前記第４ハイライト付与文字に対しては、前記着色として第４着色を指定できる特許情報処理装置であって、
処理手段には、ハイライト付与文字検索部と、ハイライト付与率演算部と、ハイライト表示処理部と、ソート処理部とを有し、
前記ハイライト付与文字検索部では、
前記第１論理式に対して、前記案件データ別に、前記第１ハイライト付与文字及び前記第２ハイライト付与文字を含むか否かを検索し、
前記第２論理式に対して、前記案件データ別に、前記第３ハイライト付与文字及び前記第４ハイライト付与文字を含むか否かを検索し、
前記ハイライト付与率演算部では、
前記第１論理式に対して、前記案件データ別に、前記ハイライト付与文字を全く含まないか、前記第１ハイライト付与文字だけを含むか、前記第２ハイライト付与文字だけを含むか、又は前記第１ハイライト付与文字及び前記第２ハイライト付与文字を含むかによる第１論理式ハイライト付与率を演算し、
前記第２論理式に対して、前記案件データ別に、前記ハイライト付与文字を全く含まないか、前記第３ハイライト付与文字だけを含むか、前記第４ハイライト付与文字だけを含むか、又は前記第３ハイライト付与文字及び前記第４ハイライト付与文字を含むかによる第２論理式ハイライト付与率を演算し、
前記ハイライト表示処理部では、
前記第１ハイライト付与文字に対しては前記第１着色を付与し、前記第２ハイライト付与文字に対しては前記第２着色を付与し、前記第３ハイライト付与文字に対しては前記第３着色を付与し、前記第４ハイライト付与文字に対しては前記第４着色を付与し、
前記ソート処理部では、
前記案件データ別に付与された前記第１論理式ハイライト付与率と前記第２論理式ハイライト付与率とを比較して、数値の大きい付与率を前記案件データのハイライト付与率として選択し、前記特許情報データについて、選択された前記ハイライト付与率によって前記案件データを並べ替えることを特徴とする特許情報処理装置。
【請求項５】
前記入力手段では、
前記第１論理式に対しては、
前記第１ハイライト付与文字と前記第２ハイライト付与文字との重み付けを指定でき、
前記第２論理式に対しては、
前記第３ハイライト付与文字と前記第４ハイライト付与文字との重み付けを指定でき、
前記処理手段には重み付け処理部を有し、
前記重み付け処理部では、
前記第１論理式に対して前記重み付けが指定されている場合には、前記ハイライト付与率演算部での前記第１論理式ハイライト付与率の演算にあたって、前記第１論理式で指定された前記重み付けの処理を行い、
前記第２論理式に対して前記重み付けが指定されている場合には、前記ハイライト付与率演算部での前記第２論理式ハイライト付与率の演算にあたって、前記第２論理式で指定された前記重み付けの処理を行うことを特徴とする請求項４に記載の特許情報処理装置。
【請求項６】
前記第１ハイライト付与文字、前記第２ハイライト付与文字、前記第３ハイライト付与文字、及び前記第４ハイライト付与文字は、それぞれが複数の異なる文字を択一的条件で入力できるとともに、前記ハイライト付与文字としてＦＩ及びＦタームを入力できることを特徴とする請求項４又は請求項５に記載の特許情報処理装置。
【発明の詳細な説明】
【技術分野】
【０００１】
本発明は、設定したテーマに基づく案件データを収集した特許情報データを蓄積し、着色を付与したいハイライト付与文字を入力手段から入力し、ハイライト付与文字に対して着色を付与して特許情報データを表示する特許情報処理装置に関する。
【背景技術】
【０００２】
膨大な発行件数に及ぶ各国の特許公報に対して、他方では多種多様な技術の開発が行われていることから、特許調査の対象範囲は拡大しており、膨大な件数を対象とした特許調査への対応が必要となっている。
このような状況の中で、特許情報の検索方法に関して多くの手法が提案されている（例えば特許文献１）。
特許文献１でも提案されているような検索方法を用いることで、的確な該当公報の絞り込みや抽出ができるようになってきている。
また、抽出された公報について、検索条件をハイライト表示することも行われている。
【先行技術文献】
【特許文献】
【０００３】
【特許文献１】特開２００３−１６２５４２号公報
【発明の概要】
【発明が解決しようとする課題】
【０００４】
しかし、複数の条件式を用いた場合に、抽出された公報について、それらの条件式の一部だけに該当したのか、多くの条件式に該当したのかは判別できない。
抽出された公報について、検索条件をハイライト表示するものでは、ハイライト表示の多さによって多くの条件を満たしたか否かが若干判別できるが、どの程度の条件を満たしたかを明確に把握することはできない。
【０００５】
そこで、本発明は、異なる条件として複数のハイライト文字を入力した場合に、これらの条件をどの程度満たすかがハイライト付与率として表示される特許情報処理装置を提供することを目的とする。
【課題を解決するための手段】
【０００６】
請求項１記載の本発明の特許情報処理装置は、設定したテーマに基づく案件データを収集した特許情報データを蓄積し、着色を付与したいハイライト付与文字を入力手段から入力し、前記ハイライト付与文字に対して前記着色を付与して前記特許情報データを表示し、前記ハイライト付与文字として、少なくとも第１ハイライト付与文字と第２ハイライト付与文字とを入力でき、前記第１ハイライト付与文字に対しては、前記着色として第１着色を指定でき、前記第２ハイライト付与文字に対しては、前記着色として第２着色を指定できる特許情報処理装置であって、処理手段には、前記案件データ別に、前記第１ハイライト付与文字及び前記第２ハイライト付与文字を含むか否かを検索するハイライト付与文字検索部と、前記案件データ別に、前記ハイライト付与文字を全く含まないか、前記第１ハイライト付与文字だけを含むか、前記第２ハイライト付与文字だけを含むか、又は前記第１ハイライト付与文字及び前記第２ハイライト付与文字を含むかによるハイライト付与率を演算するハイライト付与率演算部と、前記第１ハイライト付与文字に対しては前記第１着色を付与し、前記第２ハイライト付与文字に対しては前記第２着色を付与するハイライト表示処理部とを有し、表示手段では、前記案件データ別に、前記ハイライト表示処理部で付与された前記着色を表示するとともに、前記ハイライト付与率演算部で演算された前記ハイライト付与率を表示することを特徴とする。
請求項２記載の本発明は、請求項１に記載の特許情報処理装置において、前記入力手段では、前記第１ハイライト付与文字と前記第２ハイライト付与文字との重み付けを指定でき、前記処理手段には、前記重み付けが指定されている場合には、前記ハイライト付与率演算部での前記ハイライト付与率の演算にあたって、指定された前記重み付けの処理を行う重み付け処理部を有することを特徴とする。
請求項３記載の本発明は、請求項１又は請求項２に記載の特許情報処理装置において、前記第１ハイライト付与文字及び前記第２ハイライト付与文字は、それぞれが複数の異なる文字を択一的条件で入力できるとともに、前記ハイライト付与文字としてＦＩ及びＦタームを入力できることを特徴とする。
請求項４記載の本発明の特許情報処理装置は、設定したテーマに基づく案件データを収集した特許情報データを蓄積し、着色を付与したいハイライト付与文字を入力手段から入力し、前記ハイライト付与文字に対して前記着色を付与して前記特許情報データを表示し、前記入力手段では、少なくとも第１論理式と第２論理式とを入力でき、前記第１論理式に対しては、前記ハイライト付与文字として、少なくとも第１ハイライト付与文字と第２ハイライト付与文字とを入力でき、前記第１ハイライト付与文字に対しては、前記着色として第１着色を指定でき、前記第２ハイライト付与文字に対しては、前記着色として第２着色を指定でき、前記第２論理式に対しては、前記ハイライト付与文字として、少なくとも第３ハイライト付与文字と第４ハイライト付与文字とを入力でき、前記第３ハイライト付与文字に対しては、前記着色として第３着色を指定でき、前記第４ハイライト付与文字に対しては、前記着色として第４着色を指定できる特許情報処理装置であって、処理手段には、ハイライト付与文字検索部と、ハイライト付与率演算部と、ハイライト表示処理部と、ソート処理部とを有し、前記ハイライト付与文字検索部では、前記第１論理式に対して、前記案件データ別に、前記第１ハイライト付与文字及び前記第２ハイライト付与文字を含むか否かを検索し、前記第２論理式に対して、前記案件データ別に、前記第３ハイライト付与文字及び前記第４ハイライト付与文字を含むか否かを検索し、前記ハイライト付与率演算部では、前記第１論理式に対して、前記案件データ別に、前記ハイライト付与文字を全く含まないか、前記第１ハイライト付与文字だけを含むか、前記第２ハイライト付与文字だけを含むか、又は前記第１ハイライト付与文字及び前記第２ハイライト付与文字を含むかによる第１論理式ハイライト付与率を演算し、前記第２論理式に対して、前記案件データ別に、前記ハイライト付与文字を全く含まないか、前記第３ハイライト付与文字だけを含むか、前記第４ハイライト付与文字だけを含むか、又は前記第３ハイライト付与文字及び前記第４ハイライト付与文字を含むかによる第２論理式ハイライト付与率を演算し、前記ハイライト表示処理部では、前記第１ハイライト付与文字に対しては前記第１着色を付与し、前記第２ハイライト付与文字に対しては前記第２着色を付与し、前記第３ハイライト付与文字に対しては前記第３着色を付与し、前記第４ハイライト付与文字に対しては前記第４着色を付与し、前記ソート処理部では、前記案件データ別に付与された前記第１論理式ハイライト付与率と前記第２論理式ハイライト付与率とを比較して、数値の大きい付与率を前記案件データのハイライト付与率として選択し、前記特許情報データについて、選択された前記ハイライト付与率によって前記案件データを並べ替えることを特徴とする。
請求項５記載の本発明は、請求項４に記載の特許情報処理装置において、前記入力手段では、前記第１論理式に対しては、前記第１ハイライト付与文字と前記第２ハイライト付与文字との重み付けを指定でき、前記第２論理式に対しては、前記第３ハイライト付与文字と前記第４ハイライト付与文字との重み付けを指定でき、前記処理手段には重み付け処理部を有し、前記重み付け処理部では、前記第１論理式に対して前記重み付けが指定されている場合には、前記ハイライト付与率演算部での前記第１論理式ハイライト付与率の演算にあたって、前記第１論理式で指定された前記重み付けの処理を行い、前記第２論理式に対して前記重み付けが指定されている場合には、前記ハイライト付与率演算部での前記第２論理式ハイライト付与率の演算にあたって、前記第２論理式で指定された前記重み付けの処理を行うことを特徴とする。
請求項６記載の本発明は、請求項４又は請求項５に記載の特許情報処理装置において、前記第１ハイライト付与文字、前記第２ハイライト付与文字、前記第３ハイライト付与文字、及び前記第４ハイライト付与文字は、それぞれが複数の異なる文字を択一的条件で入力できるとともに、前記ハイライト付与文字としてＦＩ及びＦタームを入力できることを特徴とする。
【発明の効果】
【０００７】
本発明によれば、異なる条件として複数のハイライト文字を入力した場合に、これらの条件をどの程度満たすかがハイライト付与率として表示されるため、案件データに対する評価を行いやすい。
【図面の簡単な説明】
【０００８】
【図１】本発明の一実施例における特許情報処理装置の機能実現のためのブロック図
【図２】本実施例における特許情報処理装置の処理流れを示すフローチャート
【図３】本実施例における特許情報処理装置の処理流れを示すフローチャート
【図４】本実施例における特許情報処理装置の処理流れを示すフローチャート
【図５】本実施例における特許情報処理装置の処理流れを示すフローチャート
【図６】本実施例における特許情報処理装置の表示手段で表示される画面
【図７】本実施例における特許情報処理装置の表示手段で表示される画面
【図８】本実施例における特許情報処理装置の表示手段で表示される画面
【図９】本実施例における特許情報処理装置の表示手段で表示される画面
【図１０】本実施例における特許情報処理装置の表示手段で表示される画面
【図１１】本実施例における特許情報処理装置の表示手段で表示される画面
【図１２】本実施例における特許情報処理装置の表示手段で表示される画面
【図１３】本実施例における特許情報処理装置の表示手段で表示される画面
【発明を実施するための形態】
【０００９】
本発明の第１の実施の形態による特許情報処理装置は、処理手段には、案件データ別に、第１ハイライト付与文字及び第２ハイライト付与文字を含むか否かを検索するハイライト付与文字検索部と、案件データ別に、ハイライト付与文字を全く含まないか、第１ハイライト付与文字だけを含むか、第２ハイライト付与文字だけを含むか、又は第１ハイライト付与文字及び第２ハイライト付与文字を含むかによるハイライト付与率を演算するハイライト付与率演算部と、第１ハイライト付与文字に対しては第１着色を付与し、第２ハイライト付与文字に対しては第２着色を付与するハイライト表示処理部とを有し、表示手段では、案件データ別に、ハイライト表示処理部で付与された着色を表示するとともに、ハイライト付与率演算部で演算されたハイライト付与率を表示するものである。本実施の形態によれば、異なる条件として複数のハイライト文字を入力した場合に、これらの条件をどの程度満たすかがハイライト付与率として表示されるため、案件データに対する評価を行いやすい。
【００１０】
本発明の第２の実施の形態は、第１の実施の形態による特許情報処理装置において、入力手段では、第１ハイライト付与文字と第２ハイライト付与文字との重み付けを指定でき、
処理手段には、重み付けが指定されている場合には、ハイライト付与率演算部でのハイライト付与率の演算にあたって指定された重み付けの処理を行う重み付け処理部を有するものである。本実施の形態によれば、複数のハイライト文字の重み付けを変更できるため、案件データに対する評価を更に行いやすい。
【００１１】
本発明の第３の実施の形態は、第１又は第２の実施の形態による特許情報処理装置において、第１ハイライト付与文字及び第２ハイライト付与文字は、それぞれが複数の異なる文字を択一的条件で入力できるとともに、ハイライト付与文字としてＦＩ及びＦタームを入力できるものである。本実施の形態によれば、キーワード検索とともにＦＩやＦタームを併せて用いることができ、案件データに対する評価を行いやすい。
【００１２】
本発明の第４の実施の形態による特許情報処理装置は、処理手段には、ハイライト付与文字検索部と、ハイライト付与率演算部と、ハイライト表示処理部と、ソート処理部とを有し、ハイライト付与文字検索部では、第１論理式に対して、案件データ別に、第１ハイライト付与文字及び第２ハイライト付与文字を含むか否かを検索し、第２論理式に対して、案件データ別に、第３ハイライト付与文字及び第４ハイライト付与文字を含むか否かを検索し、ハイライト付与率演算部では、第１論理式に対して、案件データ別に、ハイライト付与文字を全く含まないか、第１ハイライト付与文字だけを含むか、第２ハイライト付与文字だけを含むか、又は第１ハイライト付与文字及び第２ハイライト付与文字を含むかによる第１論理式ハイライト付与率を演算し、第２論理式に対して、案件データ別に、ハイライト付与文字を全く含まないか、第３ハイライト付与文字だけを含むか、第４ハイライト付与文字だけを含むか、又は第３ハイライト付与文字及び第４ハイライト付与文字を含むかによる第２論理式ハイライト付与率を演算し、ハイライト表示処理部では、第１ハイライト付与文字に対しては第１着色を付与し、第２ハイライト付与文字に対しては第２着色を付与し、第３ハイライト付与文字に対しては第３着色を付与し、第４ハイライト付与文字に対しては第４着色を付与し、ソート処理部では、案件データ別に付与された第１論理式ハイライト付与率と第２論理式ハイライト付与率とを比較して、数値の大きい付与率を案件データのハイライト付与率として選択し、特許情報データについて、選択されたハイライト付与率によって案件データを並べ替えるものである。本実施の形態によれば、異なる論理式に基づくハイライト付与率を併せて並べ替えを行えるため、それぞれの論理式での条件を多くして対象案件を絞り込んだ後に、統合して評価を行うことができる。
【００１３】
本発明の第５の実施の形態は、第４の実施の形態による特許情報処理装置において、入力手段では、第１論理式に対しては、第１ハイライト付与文字と第２ハイライト付与文字との重み付けを指定でき、第２論理式に対しては、第３ハイライト付与文字と第４ハイライト付与文字との重み付けを指定でき、処理手段には重み付け処理部を有し、重み付け処理部では、第１論理式に対して重み付けが指定されている場合には、ハイライト付与率演算部での第１論理式ハイライト付与率の演算にあたって、第１論理式で指定された重み付けの処理を行い、第２論理式に対して重み付けが指定されている場合には、ハイライト付与率演算部での第２論理式ハイライト付与率の演算にあたって、第２論理式で指定された重み付けの処理を行うものである。本実施の形態によれば、論理式別に、複数のハイライト文字の重み付けを変更できるため、案件データに対する評価を更に行いやすい。
【００１４】
本発明の第６の実施の形態は、第４又は第５の実施の形態による特許情報処理装置において、第１ハイライト付与文字、第２ハイライト付与文字、第３ハイライト付与文字、及び第４ハイライト付与文字は、それぞれが複数の異なる文字を択一的条件で入力できるとともに、ハイライト付与文字としてＦＩ及びＦタームを入力できるものである。本実施の形態によれば、論理式別に、キーワード検索とともにＦＩやＦタームを併せて用いることができ、案件データに対する評価を行いやすい。
【実施例】
【００１５】
以下に、本発明の特許情報処理装置の一実施例について説明する。
図１は本発明の一実施例における特許情報処理装置の機能実現のためのブロック図である。
本実施例における特許情報処理装置は、設定したテーマに基づく案件データを収集した特許情報データを情報データベース１０に蓄積し、着色を付与したいハイライト付与文字を入力手段２０から入力し、ハイライト付与文字に対して着色を付与して特許情報データを表示手段３０で表示する。
情報データベース１０は、特許情報データベース１１、評価情報データベース１２、及び管理情報データベース１３を有している。
特許情報データベース１１には、設定したテーマに基づいて特許データ取込処理部１４にて収集した特許公報データを蓄積し、評価情報データベース１２には、特許公報データ中の一部の書誌的データとともに利用者が入力する評価情報を含む利用者特有の追加情報を蓄積し、管理情報データベース１３には、管理情報入力手段１５によって、設定したテーマに関する情報、例えば、調査テーマ名、登録日、調査内容、担当部門、調査担当者、検索条件などを蓄積している。
入力手段２０では、ハイライト付与文字として、少なくとも第１ハイライト付与文字と第２ハイライト付与文字とを入力でき、第１ハイライト付与文字に対しては、着色として第１着色を指定でき、第２ハイライト付与文字に対しては、着色として第２着色を指定できる。すなわち、入力手段２０では、異なる条件として複数のハイライト文字を入力でき、更に異なる条件別に異なる着色を指定できる。
また、入力手段２０では、第１ハイライト付与文字と第２ハイライト付与文字との重み付けを指定できる。すなわち、入力手段２０では、異なる条件として複数のハイライト文字を入力した場合に、これらの条件についての重み付けを指定できる。
入力手段２０で入力又は指定されたハイライト付与文字、着色、及び重み付けは、論理式データとして評価情報データベース１２に登録される。
【００１６】
本実施例における特許情報処理装置は処理手段４０を備えている。処理手段４０には、ハイライト付与文字検索部４１、ハイライト付与率演算部４２、重み付け処理部４３、ハイライト表示処理部４４、及びソート処理部４５を有している。
ハイライト付与文字検索部４１は、案件データ別に、少なくとも第１ハイライト付与文字及び第２ハイライト付与文字を含むか否かを検索する。
ハイライト付与率演算部４２は、案件データ別に、ハイライト付与文字を全く含まないか、第１ハイライト付与文字だけを含むか、第２ハイライト付与文字だけを含むか、又は第１ハイライト付与文字及び第２ハイライト付与文字を含むかによるハイライト付与率を演算する。すなわち、ハイライト付与率演算部４２は、異なる条件として複数のハイライト文字を入力した場合に、これらの条件をどの程度満たすかがハイライト付与率として演算する。
重み付け処理部４３は、重み付けが付与されている場合には、ハイライト付与率演算部４２での演算において、ハイライト付与率を指定された重み付けに応じて変更する。ハイライト付与率演算部４２で演算されたハイライト付与率は、評価情報データベース１２に記憶される。
ハイライト表示処理部４４は、特許情報データベース１１から案件データを抽出し、評価情報データベース１２から論理式データを抽出し、第１ハイライト付与文字に対しては第１着色を付与し、第２ハイライト付与文字に対しては第２着色を付与して、表示手段３０に表示する。
ソート処理部４５は、特許情報データベース１１から案件データを抽出し、評価情報データベース１２から論理式データ及びハイライト付与率を抽出し、特許情報データについて、選択されたハイライト付与率によって案件データを並べ替える。なお、ソート処理部４５では、管理情報データベース１３に蓄積している担当者別に並べ替えることもできる。
【００１７】
図２から図５は本実施例における特許情報処理装置の処理流れを示すフローチャート、図６から図１３は本実施例における特許情報処理装置の表示手段で表示される画面である。
まず、表示手段３０には、調査テーマ一覧画面が表示される（ステップ１）。調査テーマ一覧画面のためのデータは、管理情報データベース１３から抽出される。
図６は、ステップ１における調査テーマ一覧画面である。
図６に示す調査テーマ一覧画面において、入力手段２０によって調査テーマを指定する（ステップ２）。
ステップ２において調査テーマが指定されると、表示手段３０にはメニューが表示される（ステップ３）。
図７は、ステップ３におけるメニュー画面である。
図７に示すメニュー画面において、入力手段２０によってハイライトソートを指定する（ステップ４）。
【００１８】
ステップ４においてハイライトソートが指定されると、表示手段３０には条件入力画面が表示される（ステップ５）。
図８は、ステップ５における条件入力画面である。
図８に示す条件入力画面において、入力手段２０によってハイライト付与文字を入力する（ステップ６）。
図８では、ハイライト付与文字として４つの条件を入力した状態を示している。
図８では、「集合Ｎｏ．０１」として用語指定欄８ａに「２Ｃ００２」と「２Ｃ０７４」とが入力され、「集合Ｎｏ．０２」として用語指定欄８ａに「方向性」と「目標方向」と「打球方向」とが入力され、「集合Ｎｏ．０３」として用語指定欄８ａに「直進」が入力され、「集合Ｎｏ．０４」として用語指定欄８ａに「距離感」と「方向距離」と「距離精度」と「距離感覚」とが入力されている。
１つの条件に対する用語指定欄８ａに複数用語が入力される場合には、これらの用語は択一的条件（ＯＲ条件）となる。すなわち、「集合Ｎｏ．０１」として用語指定欄８ａに入力されている「２Ｃ００２」と「２Ｃ０７４」とは「Ｆターム」であり、「２Ｃ００２」と「２Ｃ０７４」とは択一的条件（ＯＲ条件）である。「集合Ｎｏ．０２」として用語指定欄８ａに入力されている「方向性」と「目標方向」と「打球方向」とはキーワードであり、「方向性」と「目標方向」と「打球方向」とは択一的条件（ＯＲ条件）である。
例えば、「集合Ｎｏ．０１」が第１ハイライト付与文字であり、「集合Ｎｏ．０２」が第２ハイライト付与文字である。例示するように、ハイライト付与文字は、それぞれが複数の異なる文字を択一的条件で入力できる。また、ハイライト付与文字としてＦＩ及びＦタームを入力できる。
ステップ６において、第１ハイライト付与文字として「集合Ｎｏ．０１」の用語指定欄８ａに「２Ｃ００２」を入力する。
ステップ７において、第１ハイライト付与文字として「集合Ｎｏ．０１」に他の文字を入力する場合には、ステップ６に戻って「２Ｃ０７４」を入力する。
ステップ７において、第１ハイライト付与文字として「集合Ｎｏ．０１」に他の文字を入力しない場合には、ハイライト色（着色）を指定する（ステップ８）。
ハイライト色（着色）の指定は、図８に示す色選択欄８ｂで行う。色選択欄８ｂは、プルダウンによって複数色が表示され、いずれかの着色を選択する。色選択欄８ｂは、条件式毎に設けられている。
【００１９】
また、ステップ９において、入力文字に対する項目を指定する。ハイライト付与文字として入力した文字がＦタームであれば指定項目として「Ｆターム」を指定し、ハイライト付与文字として入力した文字がＦＩ又はＩＰＣであれば指定項目として「ＩＰＣ」を指定する。ハイライト付与文字として入力した文字がキーワードであれば、指定項目として「発明の名称」、「要約」、「請求の範囲」、「利用分野」、及び「明細書」から選択することができる。
指定項目での指定は、図８に示す指定項目欄８ｃで行う。指定項目欄８ｃは、プルダウンによって複数の指定項目が表示され、いずれかの指定項目を選択する。指定項目欄８ｃは、条件式毎に設けられている。
また、ステップ１０において、重み付けを指定する。図８では第１ハイライト付与文字に対しては重み付けを「５」とした場合を示している。
重み付けの指定は、図８に示す重み付け欄８ｄで行う。重み付け欄８ｄは、複数の重み付けが表示され、いずれかの重み付けを選択する。重み付け欄８ｄは、条件式毎に設けられている。
ステップ６からステップ１０までの入力及び指定が終了すると第１ハイライト付与文字に対する入力及び指定が完了する。
ステップ１１において、他色のハイライト付与文字を入力する場合には、ステップ６に戻って第２ハイライト付与文字に対する入力を行う。
ステップ１１において、他色のハイライト付与文字を入力しない場合には、ハイライト付与文字の入力が完了する。
【００２０】
異なる条件式となるハイライト付与文字の入力が完了すると、論理式として用いる条件式の指定を行う（ステップ１２）。
条件式の指定は、図８に示す選択欄８ｅを指定することによって行う。図８では、「集合Ｎｏ．０１」、「集合Ｎｏ．０２」、及び「集合Ｎｏ．０３」の３つの条件式を論理式として指定した状態を示している。
ステップ１２において条件式を指定した後に、処理開始指示を行う（ステップ１３）。
ステップ１３における処理開始指示は、図８に示す処理実行表示８ｆを指示することで行う。
ステップ１３において処理開始指示が行われると、ステップ１２で指定した条件式による論理式を確定させ、評価情報データベース１２に確定させた論理式を登録する（ステップ１４）。
ステップ１３において処理開始指示が行われると、ステップ１４における論理式の登録とともに、この論理式で用いる条件式となるハイライト付与文字を、ハイライト付与文字検索部４１で検索する（ステップ１５）。
ステップ１５におけるハイライト付与文字の検索は、案件毎に、条件式別に行われる。
ステップ１５におけるハイライト付与文字の検索が行われた後に、重み付けが付与されているか否かを判断する（ステップ１６）。
ステップ１６において、重み付けが付与されている場合には、重み付け処理部４３によって重み付け処理を行う（ステップ１７）。
ステップ１７による重み付け処理が行われた後、又はステップ１６において、重み付けが付与されていない場合には、ハイライト付与率演算部４２でハイライトの付与率が演算される（ステップ１８）。
【００２１】
例えば、第１案件はハイライト付与文字を全く含まず、第２案件は条件式１による第１ハイライト付与文字だけを含み、第３案件は条件式２による第２ハイライト付与文字だけを含み、第４案件は条件式１による第１ハイライト付与文字及び条件式２による第２ハイライト付与文字を含み、第５案件は条件式１による第１ハイライト付与文字、条件式２による第２ハイライト付与文字、及び条件式３による第３ハイライト付与文字を含むとする。
重み付けが付与されていない場合には、第１案件のハイライト付与率は「０％」、第２案件のハイライト付与率は「３３．３％」、第３案件のハイライト付与率は「３３．３％」、第４案件のハイライト付与率は「６６．６％」、第５案件のハイライト付与率は「１００％」となる。
重み付けが付与されている場合には、例えば、図８に示すように、条件式１の重み付けを「５」、条件式２の重み付けを「２」、条件式３の重み付けを「３」とすると、重み付け処理を行うことで、第１案件のハイライト付与率は「０％」、第２案件のハイライト付与率は「５／１０＝５０％」、第３案件のハイライト付与率は「２／１０＝２０％」、第４案件のハイライト付与率は「５／１０＋２／１０＝７０％」、第５案件のハイライト付与率は「５／１０＋２／１０＋１０／３＝１００％」となる。  
ステップ１８においてハイライト付与率演算部４２で演算されたハイライト付与率は、評価情報データベース１２に登録される（ステップ１９）。
【００２２】
図３に示すように、ステップ２０において抄録一覧表示が指定されると、ハイライト表示処理部４４でハイライト表示処理が行われる（ステップ２１）。
ステップ２１におけるハイライト表示処理は、評価情報データベース１２に登録された条件式別のハイライト付与文字と着色の情報を用い、特許情報データベース１１に登録されたそれぞれの案件データ中の該当文字に着色表示の処理を行う。
ステップ２１におけるハイライト処理が行われると、抄録一覧画面が表示される（ステップ２２）。
ステップ２２における抄録一覧画面の表示では、ハイライト表示処理部４４で付与された着色を表示するとともに、案件データ別に、評価情報データベース１２に登録されているハイライト付与率を表示手段３０に表示する。
図９は、ステップ２２における抄録一覧画面を示している。
図９に示すように、抄録一覧画面では評価欄９ａを有しており、この評価欄９ａに評価結果や評価理由を入力することができる（ステップ２３）。
ステップ２３において入力された評価結果や評価理由は、評価情報データベース１２に登録される。
【００２３】
図４に示すように、ステップ３０において特許一覧表示が指定されると、ソート条件指定画面が表示される（ステップ３１）。
図１０は、ステップ３１におけるソート条件指定画面を示している。
図１０に示すように、ソート条件指定画面では複数のソート欄１０ａ、１０ｂ、１０ｃを有しており、これらのソート欄１０ａ、１０ｂ、１０ｃにソート条件を指定することができる（ステップ３２）。
図１０では、最優先ソート条件として、ソート欄１０ａにハイライト付与率を、２番目のソート条件として、ソート欄１０ｂに権利者・出願人名を指定した状態を示している。
図１０において、ソート条件を指定した後に、確定表示１０ｄを指示することで、ソート処理部４５においてソート処理が行われる（ステップ３３）。
ステップ３３におけるソート処理は、評価情報データベース１２に登録された案件別のハイライト付与率の情報を用い、特許情報データベース１１に登録されたそれぞれの案件についてソート処理を行う。
ステップ３３におけるソート処理が行われると、特許一覧画面が表示される（ステップ３４）。
図１１は、ステップ３４における特許一覧画面を示している。
図１１に示すように、特許一覧画面ではハイライト付与率欄１１ａを有しており、このハイライト付与率欄１１ａにハイライト付与率が表示される。
【００２４】
図５に示すように、表示手段３０に条件入力画面を表示し（ステップ４１）、論理式を入力する（ステップ４２）。
図１２は、ステップ４１における条件入力画面である。
図１２に示すように、条件入力画面では、入力手段２０から論理式を入力欄１２ａに入力できるとともに、既に登録している論理式を選択欄１２ｂから選択できる。
ステップ４２における論理式の入力は、図１２に示す論理式欄１２ｃで行う。
ステップ４２における論理式の入力が行われた後に、処理開始の指示を行う（ステップ４３）。
ステップ４３における処理開始指示は、図１２に示す処理実行欄１２ｄを指示することで行われる。
ステップ４３における処理開始指示が行われると、評価情報データベース１２からそれぞれの案件に対して、付与されたハイライト付与率を抽出し（ステップ４４）、評価完了有無の情報を抽出する（ステップ４５）。
図１２に示すように、論理式欄１２ｃで複数の論理式「０８４」、「０８５」、及び「０８６」が入力されている場合には、ステップ４６において他の論理式有と判断して、それぞれの論理式「０８４」、「０８５」、及び「０８６」についてステップ４４及びステップ４５での抽出を行う。
ステップ４７における表示分類指示では、例えば出願人・権利者名や技術分類を指示することができる。
ステップ４７における表示分類指示が行われると、表示分類別で評価有無別のハイライト付与率別の集計が行われる（ステップ４８）。
なお、ステップ４２における論理式入力において、複数の論理式が入力された場合には、１つの案件に対して、それぞれの論理式に対応する複数のハイライト付与率が付与されている。このように、１つの案件に対して複数のハイライト付与率が付与されている場合には、複数のハイライト付与率を比較して、最も大きな付与率を採用する。
例えば、複数の論理式「０８４」、「０８５」、及び「０８６」が入力され、１つの案件に対して、論理式「０８４」による付与率が「３３．３％」、論理式「０８５」による付与率が「０％」、論理式「０８６」による付与率が「６７％」であったとすると、この案件に対するハイライト付与率は「６７％」とする。
【００２５】
ステップ４８における集計の結果は、算定結果画面に表示される（ステップ４９）。
図１３は、ステップ４９における算定結果画面である。
図１３では、ステップ４７における表示分類指示で出願人・権利者名を指示した場合を示している。
図１３に示す算定結果画面では、縦軸を出願人・権利者名別に区分し、横軸をハイライト付与率によって区分している。例えば「５０％〜」の表示欄１３ａでは、ハイライト付与率が５０％〜４１％である案件数を８３２として該当案件表示欄１３ｂに表示し、８３２件中の未評価件数を７６８として未処理表示欄１３ｃに表示している。
【００２６】
なお、図５では、ステップ４２で入力した複数の論理式に対して、図１３に示す算定結果画面を表示手段３０に表示する処理流れを示したが、ステップ４６の後に、ステップ２２における抄録一覧画面表示や、ステップ３４における特許一覧画面表示を行ってもよい。
また、ステップ４９における算定結果画面の後に、ステップ２２における抄録一覧画面表示や、ステップ３４における特許一覧画面表示を行ってもよい。
また、ステップ２０における抄録一覧表示指示、ステップ３０における特許一覧表示指定に先だって、複数の論理式を入力することもできる。
【００２７】
以下に複数の論理式を入力した場合のハイライト付与率と着色の付与について説明する。
ここでは、ステップ４２における論理式として、入力手段２０から第１論理式と第２論理式とを入力する場合について説明するが、既に説明したように３つ以上の論理式を入力してもよい。
なお、第１論理式に対しては、条件式としてのハイライト付与文字として、少なくとも第１条件としての第１ハイライト付与文字と、第２条件としての第２ハイライト付与文字とを入力できる。ここで、第１条件としての第１ハイライト付与文字に対しては、着色として例えば赤色である第１着色を指定でき、第２条件としての第２ハイライト付与文字に対しては、着色として例えば青色である第２着色を指定できる。
また、第２論理式に対しては、条件式としてのハイライト付与文字として、少なくとも第３条件としての第３ハイライト付与文字と、第４条件としての第４ハイライト付与文字とを入力できる。ここで、第３条件としての第３ハイライト付与文字に対しては、着色として例えは黄色である第３着色を指定でき、第４条件としての第４ハイライト付与文字に対しては、着色として例えば緑色である第４着色を指定できる。
このように、入力手段２０から第１論理式と第２論理式とを入力した場合には、ステップ１５において、ハイライト付与文字検索部４１では、第１論理式に対して、案件データ別に、第１ハイライト付与文字及び第２ハイライト付与文字を含むか否かを検索し、第２論理式に対して、案件データ別に、第３ハイライト付与文字及び第４ハイライト付与文字を含むか否かを検索する。
そして、ステップ１８において、ハイライト付与率演算部４２では、第１論理式に対して、案件データ別に、ハイライト付与文字を全く含まないか、第１ハイライト付与文字だけを含むか、第２ハイライト付与文字だけを含むか、又は第１ハイライト付与文字及び第２ハイライト付与文字を含むかによる第１論理式ハイライト付与率を演算し、第２論理式に対して、案件データ別に、ハイライト付与文字を全く含まないか、第３ハイライト付与文字だけを含むか、第４ハイライト付与文字だけを含むか、又は第３ハイライト付与文字及び第４ハイライト付与文字を含むかによる第２論理式ハイライト付与率を演算する。
なお、ステップ１８におけるハイライト付与率の演算にあたっては、重み付けが付与されている場合には、ステップ１７における重み付け処理が行われる。
【００２８】
また、ステップ１９において既に第１論理式及び第２論理式についてのハイライト付与率が評価情報データベース１２に登録されている場合には、ステップ４４において、第１論理式及び第２論理式についてのハイライト付与率が抽出される。
ソート処理部４５では、案件データ別に付与された第１論理式ハイライト付与率と第２論理式ハイライト付与率とを比較して、数値の大きい付与率を案件データのハイライト付与率として選択する。例えば、第１案件について、第１論理式ハイライト付与率が「３３．３％」で第２論理式ハイライト付与率が「６６．６％」の場合には、第２論理式ハイライト付与率である「６６．６％」を第１案件のハイライト付与率とする。
ステップ３３におけるソート処理では、ソート処理部４５で選択されたハイライト付与率を用いる。従って、ステップ３３におけるソート処理では、選択されたハイライト付与率によって案件データを並べ替える。
また、ステップ４８におけるハイライト付与率別集計においても、ソート処理部４５で選択されたハイライト付与率を用いる。
ハイライト表示処理部４４では、第１ハイライト付与文字に対しては第１着色を付与し、第２ハイライト付与文字に対しては第２着色を付与し、第３ハイライト付与文字に対しては第３着色を付与し、第４ハイライト付与文字に対しては第４着色を付与する。
ただし、ステップ３３におけるソート処理で、ソート処理部４５で選択されたハイライト付与率を用いる場合には、ステップ２２における抄録一覧画面では、選択されたハイライト付与率に対応する論理式による着色だけ、選択されなかったハイライト付与率に対応する論理式による着色だけ、選択されたハイライト付与率にかかわらず、全ての論理式による着色を付与することを、入力手段２０から指示できることが好ましい。
選択されなかったハイライト付与率に対応する論理式が複数ある場合には、それぞれの論理式別に着色を付与することを入力手段２０から指示できる。
なお、同じハイライト付与文字に対して、異なる論理式で異なる色の着色が指定されている場合には、選択されたハイライト付与率に対応する論理式による着色を付与する。
従って、選択されたハイライト付与率に対応する論理式による着色だけを入力手段２０によって指示された場合には、ハイライト表示処理部４４では、選択されたハイライト付与率に対応する論理式による着色だけを行う。
また、選択されなかったハイライト付与率に対応する論理式による着色だけを入力手段２０によって指示された場合には、ハイライト表示処理部４４では、選択されなかったハイライト付与率に対応する論理式による着色だけを行う。
また、全ての論理式による着色を付与することを入力手段２０によって指示された場合には、ハイライト表示処理部４４では、全ての論理式による着色を付与する。
全ての論理式による着色を付与することを入力手段２０によって指示された場合で、第１論理式に対する第１条件としての第１ハイライト付与文字と、第２論理式に対する第３条件としての第３ハイライト付与文字とが同じハイライト付与文字を含む場合には、ハイライト表示処理部４４では、第１論理式及び第２論理式に共通するハイライト付与文字には、選択されたハイライト付与率に対応する論理式による着色を付与する。
【００２９】
例えば、第１案件に対して、第１論理式ハイライト付与率が「３３．３％」で第２論理式ハイライト付与率が「６６．６％」の場合には、第２論理式ハイライト付与率が選択される。
この場合の着色付与について以下に説明する。
まず、選択されたハイライト付与率に対応する論理式による着色だけを指示する場合には、ステップ２２における抄録一覧画面では、第１案件に対して、第２論理式に対する第３条件としての第３ハイライト付与文字色である黄色（第３着色）と、第２論理式に対する第４条件としての第４ハイライト付与文字色である緑色（第４着色）とが付与される。
次に、選択されなかったハイライト付与率に対応する論理式による着色だけを指示する場合には、ステップ２２における抄録一覧画面では、第１案件に対して、第１論理式に対する第１条件としての第１ハイライト付与文字色である赤色（第１着色）と、第１論理式に対する第２条件としての第２ハイライト付与文字色である青色（第２着色）とが付与される。
また、選択されたハイライト付与率にかかわらず、全ての論理式による着色を指示する場合には、ステップ２２における抄録一覧画面では、第１案件に対して、第１論理式に対する第１条件としての第１ハイライト付与文字色である赤色（第１着色）と、第１論理式に対する第２条件としての第２ハイライト付与文字色である青色（第２着色）と、第２論理式に対する第３条件としての第３ハイライト付与文字色である黄色（第３着色）と、第２論理式に対する第４条件としての第４ハイライト付与文字色である緑色（第４着色）とが付与される。
全ての論理式による着色を指示する場合で、異なる論理式で、同じハイライト付与文字に対して異なる色の着色が指定されている場合について以下に説明する。
例えば、第１論理式に対する第１条件としての第１ハイライト付与文字と、第２論理式に対する第３条件としての第３ハイライト付与文字とが同じハイライト付与文字を含むとする。すなわち、例えば第１ハイライト付与文字として「ゴルフ」というキーワードを含み、第３ハイライト付与文字として「ゴルフ」というキーワードを含むとする。
この場合には、「ゴルフ」というキーワードは、第１論理式に対する第１条件としての第１ハイライト付与文字色は赤色（第１着色）であり、第２論理式に対する第３条件としての第３ハイライト付与文字色は黄色（第３着色）であるが、選択されたハイライト付与率に対応する論理式による着色、すなわち、選択された第２論理式に対する第３条件としての第３ハイライト付与文字色である黄色（第３着色）を「ゴルフ」というキーワードに付与する。
【００３０】
以上のように本実施例によれば、異なる論理式に基づくハイライト付与率を併せて並べ替えを行えるため、それぞれの論理式での条件を多くして対象案件を絞り込んだ後に、統合して評価を行うことができる。
また、本実施例によれば、論理式別に、複数のハイライト文字の重み付けを変更できるため、案件データに対する評価を更に行いやすい。
また、本実施例によれば、論理式別に、キーワード検索とともにＦＩやＦタームを併せて用いることができ、案件データに対する評価を行いやすい。
【産業上の利用可能性】
【００３１】
本発明は、国内における特許公報だけなく、中国や米国などの外国の特許公報についても利用できる。
【符号の説明】
【００３２】
１０  情報データベース
１１  特許情報データベース
１２  評価情報データベース
１３  管理情報データベース
２０  入力手段
３０  表示手段
４０  処理手段
４１  ハイライト付与文字検索部
４２  ハイライト付与率演算部
４３  重み付け処理部
４４  ハイライト表示処理部
４５  ソート処理部
【図１】
2015138288.tif 000003
【図２】
2015138288.tif 000004
【図３】
2015138288.tif 000005
【図４】
2015138288.tif 000006
【図５】
2015138288.tif 000007
【図６】
2015138288.tif 000008
【図７】
2015138288.tif 000009
【図８】
2015138288.tif 000010
【図９】
2015138288.tif 000011
【図１０】
2015138288.tif 000012
【図１１】
2015138288.tif 000013
【図１２】
2015138288.tif 000014
【図１３】
2015138288.tif 000015
【手続補正書】
【提出日】平成26年12月26日(2014.12.26)
【手続補正１】
【補正対象書類名】明細書
【補正対象項目名】全文
【補正方法】変更
【補正の内容】
【発明の詳細な説明】
【技術分野】
【０００１】
本発明は、設定したテーマに基づく案件データを収集した特許情報データを蓄積し、着色を付与したいハイライト付与文字を入力手段から入力し、ハイライト付与文字に対して着色を付与して特許情報データを表示する特許情報処理装置に関する。
【背景技術】
【０００２】
膨大な発行件数に及ぶ各国の特許公報に対して、他方では多種多様な技術の開発が行われていることから、特許調査の対象範囲は拡大しており、膨大な件数を対象とした特許調査への対応が必要となっている。
このような状況の中で、特許情報の検索方法に関して多くの手法が提案されている（例えば特許文献１）。
特許文献１でも提案されているような検索方法を用いることで、的確な該当公報の絞り込みや抽出ができるようになってきている。
また、抽出された公報について、検索条件をハイライト表示することも行われている。
【先行技術文献】
【特許文献】
【０００３】
【特許文献１】特開２００３−１６２５４２号公報
【発明の概要】
【発明が解決しようとする課題】
【０００４】
しかし、複数の条件式を用いた場合に、抽出された公報について、それらの条件式の一部だけに該当したのか、多くの条件式に該当したのかは判別できない。
抽出された公報について、検索条件をハイライト表示するものでは、ハイライト表示の多さによって多くの条件を満たしたか否かが若干判別できるが、どの程度の条件を満たしたかを明確に把握することはできない。
【０００５】
そこで、本発明は、異なる条件として複数のハイライト文字を入力した場合に、これらの条件をどの程度満たすかがハイライト付与率として表示される特許情報処理装置を提供することを目的とする。
【課題を解決するための手段】
【０００６】
請求項１記載の本発明の特許情報処理装置は、設定したテーマに基づく案件データを収集した特許情報データを特許情報データベースに蓄積し、着色を付与したいハイライト付与文字を入力手段から入力し、前記ハイライト付与文字に対して前記着色を付与して前記特許情報データを表示し、前記入力手段では、前記ハイライト付与文字として、少なくとも第１ハイライト付与文字と第２ハイライト付与文字とを入力でき、前記第１ハイライト付与文字に対しては、前記着色として第１着色を指定でき、前記第２ハイライト付与文字に対しては、前記着色として第２着色を指定でき、前記案件データ別に利用者によって入力される評価情報を蓄積する評価情報データベースを備えた特許情報処理装置であって、表示手段における表示では、少なくとも１つのキーワードまたは技術分類の文字が入力でき、且つ複数の前記文字が入力される場合は択一的条件（ＯＲ条件）で入力可能な用語指定欄をそれぞれがＡＮＤ条件になるように複数有し、前記用語指定欄毎の入力文字に対し、前記技術分類の書誌的項目、または「名称」、「要約」、「請求の範囲」、若しくは「明細書」の文章項目が選択的に指定可能な指定項目を有し、処理手段には、前記案件データ別に、前記第１ハイライト付与文字及び前記第２ハイライト付与文字を含むか否かを検索するハイライト付与文字検索部と、前記案件データ別に、前記ハイライト付与文字を全く含まないか、前記第１ハイライト付与文字だけを含むか、前記第２ハイライト付与文字だけを含むか、又は前記第１ハイライト付与文字及び前記第２ハイライト付与文字を含むかの検索結果に基づいて、前記案件データが前記用語指定欄に入力された条件に対する関連の程度を数値化するためのハイライト付与率を演算するハイライト付与率演算部と、前記第１ハイライト付与文字に対しては前記第１着色を付与し、前記第２ハイライト付与文字に対しては前記第２着色を付与するハイライト表示処理部とを有し、前記表示手段では、前記案件データ別に、前記ハイライト表示処理部で付与された前記着色を表示するとともに、前記ハイライト付与率演算部で演算され、前記評価情報データベースに登録された前記ハイライト付与率を表示し、前記案件データ別に、前記ハイライト付与率を表示して前記評価情報データベースに前記評価情報を登録する評価欄を備えたことを特徴とする。
請求項２記載の本発明は、請求項１に記載の特許情報処理装置において、前記入力手段では、前記第１ハイライト付与文字と前記第２ハイライト付与文字とのそれぞれに、前記ハイライト付与率演算部による演算の基礎となる選択可能な複数の重み付け値を指定でき、前記ハイライト付与率演算部は、前記重み付け値の総合計と着色されたハイライト付与文字の重み付け値とにより、前記ハイライト付与率の演算処理を行うことを特徴とする。
請求項３記載の本発明は、請求項１又は請求項２に記載の特許情報処理装置において、前記評価情報データベースには、前記処理手段により演算処理された前記ハイライト付与率が前記案件データ別に登録され、当該ハイライト付与率に基づいて、２軸のマトリクス表示による算定結果画面により案件数集計結果を表示するようにしたことを特徴とする。
請求項４記載の本発明は、請求項１又は請求項２又は請求項３に記載の特許情報処理装置において、前記処理手段には、前記案件データ別に登録された前記ハイライト付与率をソート条件指定画面により選択可能としたソート処理部を有することを特徴とする。
請求項５記載の本発明の特許情報処理装置は、設定したテーマに基づく案件データを収集した特許情報データを特許情報データベースに蓄積し、着色を付与したいハイライト付与文字を入力手段から入力し、前記ハイライト付与文字に対して前記着色を付与して前記特許情報データを表示し、前記入力手段では、少なくとも第１論理式と第２論理式とを入力でき、前記第１論理式に対しては、前記ハイライト付与文字として、少なくとも第１ハイライト付与文字と第２ハイライト付与文字とを入力でき、前記第１ハイライト付与文字に対しては、前記着色として第１着色を指定でき、前記第２ハイライト付与文字に対しては、前記着色として第２着色を指定でき、前記第２論理式に対しては、前記ハイライト付与文字として、少なくとも第３ハイライト付与文字と第４ハイライト付与文字とを入力でき、前記第３ハイライト付与文字に対しては、前記着色として第３着色を指定でき、前記第４ハイライト付与文字に対しては、前記着色として第４着色を指定でき、前記案件データ別に利用者によって入力される評価情報を蓄積する評価情報データベースを備えた特許情報処理装置であって、表示手段における表示では、少なくとも１つのキーワードまたは技術分類の文字が入力でき、且つ複数の前記文字が入力される場合は択一的条件（ＯＲ条件）で入力可能な用語指定欄をそれぞれがＡＮＤ条件になるように複数有し、前記用語指定欄毎の入力文字に対し、前記技術分類の書誌的項目、または「名称」、「要約」、「請求の範囲」、若しくは「明細書」の文章項目が選択的に指定可能な指定項目を有し、処理手段には、ハイライト付与文字検索部と、ハイライト付与率演算部と、ハイライト表示処理部と、ソート処理部とを有し、前記ハイライト付与文字検索部では、前記第１論理式に対して、前記案件データ別に、前記第１ハイライト付与文字及び前記第２ハイライト付与文字を含むか否かを検索し、前記第２論理式に対して、前記案件データ別に、前記第３ハイライト付与文字及び前記第４ハイライト付与文字を含むか否かを検索し、前記ハイライト付与率演算部では、前記第１論理式に対して、前記案件データ別に、前記ハイライト付与文字を全く含まないか、前記第１ハイライト付与文字だけを含むか、前記第２ハイライト付与文字だけを含むか、又は前記第１ハイライト付与文字及び前記第２ハイライト付与文字を含むかの検索結果に基づいて、前記案件データが前記用語指定欄に入力された条件に対する関連の程度を数値化するための第１論理式ハイライト付与率を演算し、前記第２論理式に対して、前記案件データ別に、前記ハイライト付与文字を全く含まないか、前記第３ハイライト付与文字だけを含むか、前記第４ハイライト付与文字だけを含むか、又は前記第３ハイライト付与文字及び前記第４ハイライト付与文字を含むかの検索結果に基づいて、前記案件データが前記用語指定欄に入力された条件に対する関連の程度を数値化するための第２論理式ハイライト付与率を演算し、前記ハイライト表示処理部では、前記第１ハイライト付与文字に対しては前記第１着色を付与し、前記第２ハイライト付与文字に対しては前記第２着色を付与し、前記第３ハイライト付与文字に対しては前記第３着色を付与し、前記第４ハイライト付与文字に対しては前記第４着色を付与し、前記ソート処理部では、前記案件データ別に付与された前記第１論理式ハイライト付与率と前記第２論理式ハイライト付与率とを比較して、数値の大きい付与率を前記案件データのハイライト付与率として選択し、前記特許情報データについて、選択された前記ハイライト付与率によって前記案件データを並べ替え、前記表示手段では、前記案件データ別に、前記評価情報データベースに登録された前記ハイライト付与率を表示して前記評価情報データベースに前記評価情報を登録する評価欄を備えたことを特徴とする。
請求項６記載の本発明は、請求項５に記載の特許情報処理装置において、前記入力手段では、前記第１論理式に対しては、前記第１ハイライト付与文字と前記第２ハイライト付与文字との重み付けを指定でき、前記第２論理式に対しては、前記第３ハイライト付与文字と前記第４ハイライト付与文字との重み付けを指定でき、前記処理手段には重み付け処理部を有し、前記重み付け処理部では、前記第１論理式に対して前記重み付けが指定されている場合には、前記ハイライト付与率演算部での前記第１論理式ハイライト付与率の演算にあたって、前記第１論理式で指定された前記重み付けの処理を行い、前記第２論理式に対して前記重み付けが指定されている場合には、前記ハイライト付与率演算部での前記第２論理式ハイライト付与率の演算にあたって、前記第２論理式で指定された前記重み付けの処理を行うことを特徴とする。
請求項７記載の本発明は、請求項５又は請求項６に記載の特許情報処理装置において、前記第１ハイライト付与文字、前記第２ハイライト付与文字、前記第３ハイライト付与文字、及び前記第４ハイライト付与文字は、それぞれが複数の異なる前記文字を前記択一的条件で入力できるとともに、前記ハイライト付与文字としてＦＩ及びＦタームを入力できることを特徴とする。
【発明の効果】
【０００７】
本発明によれば、異なる条件として複数のハイライト文字を入力した場合に、これらの条件をどの程度満たすかがハイライト付与率として表示されるため、案件データに対する評価を行いやすい。
【図面の簡単な説明】
【０００８】
【図１】本発明の一実施例における特許情報処理装置の機能実現のためのブロック図
【図２】本実施例における特許情報処理装置の処理流れを示すフローチャート
【図３】本実施例における特許情報処理装置の処理流れを示すフローチャート
【図４】本実施例における特許情報処理装置の処理流れを示すフローチャート
【図５】本実施例における特許情報処理装置の処理流れを示すフローチャート
【図６】本実施例における特許情報処理装置の表示手段で表示される画面
【図７】本実施例における特許情報処理装置の表示手段で表示される画面
【図８】本実施例における特許情報処理装置の表示手段で表示される画面
【図９】本実施例における特許情報処理装置の表示手段で表示される画面
【図１０】本実施例における特許情報処理装置の表示手段で表示される画面
【図１１】本実施例における特許情報処理装置の表示手段で表示される画面
【図１２】本実施例における特許情報処理装置の表示手段で表示される画面
【図１３】本実施例における特許情報処理装置の表示手段で表示される画面
【発明を実施するための形態】
【０００９】
本発明の第１の実施の形態による特許情報処理装置は、処理手段には、案件データ別に、第１ハイライト付与文字及び第２ハイライト付与文字を含むか否かを検索するハイライト付与文字検索部と、案件データ別に、ハイライト付与文字を全く含まないか、第１ハイライト付与文字だけを含むか、第２ハイライト付与文字だけを含むか、又は第１ハイライト付与文字及び第２ハイライト付与文字を含むかの検索結果に基づいて、案件データが用語指定欄に入力された条件に対する関連の程度を数値化するためのハイライト付与率を演算するハイライト付与率演算部と、第１ハイライト付与文字に対しては第１着色を付与し、第２ハイライト付与文字に対しては第２着色を付与するハイライト表示処理部とを有し、表示手段では、案件データ別に、ハイライト表示処理部で付与された着色を表示するとともに、ハイライト付与率演算部で演算され、評価情報データベースに登録されたハイライト付与率を表示し、案件データ別に、ハイライト付与率を表示して評価情報データベースに評価情報を登録する評価欄を備えたものである。本実施の形態によれば、異なる条件として複数のハイライト文字を入力した場合に、これらの条件をどの程度満たすかがハイライト付与率として表示されるため、案件データに対する評価を行いやすい。
【００１０】
本発明の第２の実施の形態は、第１の実施の形態による特許情報処理装置において、入力手段では、第１ハイライト付与文字と第２ハイライト付与文字とのそれぞれに、ハイライト付与率演算部による演算の基礎となる選択可能な複数の重み付け値を指定でき、ハイライト付与率演算部は、重み付け値の総合計と着色されたハイライト付与文字の重み付け値とにより、ハイライト付与率の演算処理を行うものである。本実施の形態によれば、複数のハイライト文字の重み付けを変更できるため、案件データに対する評価を更に行いやすい。
【００１１】
本発明の第３の実施の形態は、第１又は第２の実施の形態による特許情報処理装置において、評価情報データベースには、処理手段により演算処理されたハイライト付与率が案件データ別に登録され、当該ハイライト付与率に基づいて、２軸のマトリクス表示による算定結果画面により案件数集計結果を表示するようにしたものである。本実施の形態によれば、キーワード検索とともにＦＩやＦタームを併せて用いることができ、案件データに対する評価を行いやすい。
【００１２】
本発明の第４の実施の形態による特許情報処理装置は、第１又は第２又は第３の実施の形態による特許情報処理装置において、処理手段には、案件データ別に登録されたハイライト付与率をソート条件指定画面により選択可能としたソート処理部を有するものである。本実施の形態によれば、ハイライト付与率をソート条件とすることができる。
【００１３】
本発明の第５の実施の形態による特許情報処理装置は、処理手段には、ハイライト付与文字検索部と、ハイライト付与率演算部と、ハイライト表示処理部と、ソート処理部とを有し、ハイライト付与文字検索部では、第１論理式に対して、案件データ別に、第１ハイライト付与文字及び第２ハイライト付与文字を含むか否かを検索し、第２論理式に対して、案件データ別に、第３ハイライト付与文字及び第４ハイライト付与文字を含むか否かを検索し、ハイライト付与率演算部では、第１論理式に対して、案件データ別に、ハイライト付与文字を全く含まないか、第１ハイライト付与文字だけを含むか、第２ハイライト付与文字だけを含むか、又は第１ハイライト付与文字及び第２ハイライト付与文字を含むかの検索結果に基づいて、案件データが用語指定欄に入力された条件に対する関連の程度を数値化するための第１論理式ハイライト付与率を演算し、第２論理式に対して、案件データ別に、ハイライト付与文字を全く含まないか、第３ハイライト付与文字だけを含むか、第４ハイライト付与文字だけを含むか、又は第３ハイライト付与文字及び第４ハイライト付与文字を含むかの検索結果に基づいて、案件データが用語指定欄に入力された条件に対する関連の程度を数値化するための第２論理式ハイライト付与率を演算し、ハイライト表示処理部では、第１ハイライト付与文字に対しては第１着色を付与し、第２ハイライト付与文字に対しては第２着色を付与し、第３ハイライト付与文字に対しては第３着色を付与し、第４ハイライト付与文字に対しては第４着色を付与し、ソート処理部では、案件データ別に付与された第１論理式ハイライト付与率と第２論理式ハイライト付与率とを比較して、数値の大きい付与率を案件データのハイライト付与率として選択し、特許情報データについて、選択されたハイライト付与率によって案件データを並べ替え、表示手段では、案件データ別に、評価情報データベースに登録されたハイライト付与率を表示して評価情報データベースに評価情報を登録する評価欄を備えたものである。本実施の形態によれば、異なる論理式に基づくハイライト付与率を併せて並べ替えを行えるため、それぞれの論理式での条件を多くして対象案件を絞り込んだ後に、統合して評価を行うことができる。
【００１４】
本発明の第６の実施の形態は、第５の実施の形態による特許情報処理装置において、入力手段では、第１論理式に対しては、第１ハイライト付与文字と第２ハイライト付与文字との重み付けを指定でき、第２論理式に対しては、第３ハイライト付与文字と第４ハイライト付与文字との重み付けを指定でき、処理手段には重み付け処理部を有し、重み付け処理部では、第１論理式に対して重み付けが指定されている場合には、ハイライト付与率演算部での第１論理式ハイライト付与率の演算にあたって、第１論理式で指定された重み付けの処理を行い、第２論理式に対して重み付けが指定されている場合には、ハイライト付与率演算部での第２論理式ハイライト付与率の演算にあたって、第２論理式で指定された重み付けの処理を行うものである。本実施の形態によれば、論理式別に、複数のハイライト文字の重み付けを変更できるため、案件データに対する評価を更に行いやすい。
【００１５】
本発明の第７の実施の形態は、第５又は第６の実施の形態による特許情報処理装置において、第１ハイライト付与文字、第２ハイライト付与文字、第３ハイライト付与文字、及び第４ハイライト付与文字は、それぞれが複数の異なる文字を択一的条件で入力できるとともに、ハイライト付与文字としてＦＩ及びＦタームを入力できるものである。本実施の形態によれば、論理式別に、キーワード検索とともにＦＩやＦタームを併せて用いることができ、案件データに対する評価を行いやすい。
【実施例】
【００１６】
以下に、本発明の特許情報処理装置の一実施例について説明する。
図１は本発明の一実施例における特許情報処理装置の機能実現のためのブロック図である。
本実施例における特許情報処理装置は、設定したテーマに基づく案件データを収集した特許情報データを情報データベース１０に蓄積し、着色を付与したいハイライト付与文字を入力手段２０から入力し、ハイライト付与文字に対して着色を付与して特許情報データを表示手段３０で表示する。
情報データベース１０は、特許情報データベース１１、評価情報データベース１２、及び管理情報データベース１３を有している。
特許情報データベース１１には、設定したテーマに基づいて特許データ取込処理部１４にて収集した特許公報データを蓄積し、評価情報データベース１２には、特許公報データ中の一部の書誌的データとともに利用者が入力する評価情報を含む利用者特有の追加情報を蓄積し、管理情報データベース１３には、管理情報入力手段１５によって、設定したテーマに関する情報、例えば、調査テーマ名、登録日、調査内容、担当部門、調査担当者、検索条件などを蓄積している。
入力手段２０では、ハイライト付与文字として、少なくとも第１ハイライト付与文字と第２ハイライト付与文字とを入力でき、第１ハイライト付与文字に対しては、着色として第１着色を指定でき、第２ハイライト付与文字に対しては、着色として第２着色を指定できる。すなわち、入力手段２０では、異なる条件として複数のハイライト文字を入力でき、更に異なる条件別に異なる着色を指定できる。
また、入力手段２０では、第１ハイライト付与文字と第２ハイライト付与文字との重み付けを指定できる。すなわち、入力手段２０では、異なる条件として複数のハイライト文字を入力した場合に、これらの条件についての重み付けを指定できる。
入力手段２０で入力又は指定されたハイライト付与文字、着色、及び重み付けは、論理式データとして評価情報データベース１２に登録される。
【００１７】
本実施例における特許情報処理装置は処理手段４０を備えている。処理手段４０には、ハイライト付与文字検索部４１、ハイライト付与率演算部４２、重み付け処理部４３、ハイライト表示処理部４４、及びソート処理部４５を有している。
ハイライト付与文字検索部４１は、案件データ別に、少なくとも第１ハイライト付与文字及び第２ハイライト付与文字を含むか否かを検索する。
ハイライト付与率演算部４２は、案件データ別に、ハイライト付与文字を全く含まないか、第１ハイライト付与文字だけを含むか、第２ハイライト付与文字だけを含むか、又は第１ハイライト付与文字及び第２ハイライト付与文字を含むかによるハイライト付与率を演算する。すなわち、ハイライト付与率演算部４２は、異なる条件として複数のハイライト文字を入力した場合に、これらの条件をどの程度満たすかがハイライト付与率として演算する。
重み付け処理部４３は、重み付けが付与されている場合には、ハイライト付与率演算部４２での演算において、ハイライト付与率を指定された重み付けに応じて変更する。ハイライト付与率演算部４２で演算されたハイライト付与率は、評価情報データベース１２に記憶される。
ハイライト表示処理部４４は、特許情報データベース１１から案件データを抽出し、評価情報データベース１２から論理式データを抽出し、第１ハイライト付与文字に対しては第１着色を付与し、第２ハイライト付与文字に対しては第２着色を付与して、表示手段３０に表示する。
ソート処理部４５は、特許情報データベース１１から案件データを抽出し、評価情報データベース１２から論理式データ及びハイライト付与率を抽出し、特許情報データについて、選択されたハイライト付与率によって案件データを並べ替える。なお、ソート処理部４５では、管理情報データベース１３に蓄積している担当者別に並べ替えることもできる。
【００１８】
図２から図５は本実施例における特許情報処理装置の処理流れを示すフローチャート、図６から図１３は本実施例における特許情報処理装置の表示手段で表示される画面である。
まず、表示手段３０には、調査テーマ一覧画面が表示される（ステップ１）。調査テーマ一覧画面のためのデータは、管理情報データベース１３から抽出される。
図６は、ステップ１における調査テーマ一覧画面である。
図６に示す調査テーマ一覧画面において、入力手段２０によって調査テーマを指定する（ステップ２）。
ステップ２において調査テーマが指定されると、表示手段３０にはメニューが表示される（ステップ３）。
図７は、ステップ３におけるメニュー画面である。
図７に示すメニュー画面において、入力手段２０によってハイライトソートを指定する（ステップ４）。
【００１９】
ステップ４においてハイライトソートが指定されると、表示手段３０には条件入力画面が表示される（ステップ５）。
図８は、ステップ５における条件入力画面である。
図８に示す条件入力画面において、入力手段２０によってハイライト付与文字を入力する（ステップ６）。
図８では、ハイライト付与文字として４つの条件を入力した状態を示している。
図８では、「集合Ｎｏ．０１」として用語指定欄８ａに「２Ｃ００２」と「２Ｃ０７４」とが入力され、「集合Ｎｏ．０２」として用語指定欄８ａに「方向性」と「目標方向」と「打球方向」とが入力され、「集合Ｎｏ．０３」として用語指定欄８ａに「直進」が入力され、「集合Ｎｏ．０４」として用語指定欄８ａに「距離感」と「方向距離」と「距離精度」と「距離感覚」とが入力されている。
１つの条件に対する用語指定欄８ａに複数用語が入力される場合には、これらの用語は択一的条件（ＯＲ条件）となる。すなわち、「集合Ｎｏ．０１」として用語指定欄８ａに入力されている「２Ｃ００２」と「２Ｃ０７４」とは「Ｆターム」であり、「２Ｃ００２」と「２Ｃ０７４」とは択一的条件（ＯＲ条件）である。「集合Ｎｏ．０２」として用語指定欄８ａに入力されている「方向性」と「目標方向」と「打球方向」とはキーワードであり、「方向性」と「目標方向」と「打球方向」とは択一的条件（ＯＲ条件）である。
例えば、「集合Ｎｏ．０１」が第１ハイライト付与文字であり、「集合Ｎｏ．０２」が第２ハイライト付与文字である。例示するように、ハイライト付与文字は、それぞれが複数の異なる文字を択一的条件で入力できる。また、ハイライト付与文字としてＦＩ及びＦタームを入力できる。
ステップ６において、第１ハイライト付与文字として「集合Ｎｏ．０１」の用語指定欄８ａに「２Ｃ００２」を入力する。
ステップ７において、第１ハイライト付与文字として「集合Ｎｏ．０１」に他の文字を入力する場合には、ステップ６に戻って「２Ｃ０７４」を入力する。
ステップ７において、第１ハイライト付与文字として「集合Ｎｏ．０１」に他の文字を入力しない場合には、ハイライト色（着色）を指定する（ステップ８）。
ハイライト色（着色）の指定は、図８に示す色選択欄８ｂで行う。色選択欄８ｂは、プルダウンによって複数色が表示され、いずれかの着色を選択する。色選択欄８ｂは、条件式毎に設けられている。
【００２０】
また、ステップ９において、入力文字に対する項目を指定する。ハイライト付与文字として入力した文字がＦタームであれば指定項目として「Ｆターム」を指定し、ハイライト付与文字として入力した文字がＦＩ又はＩＰＣであれば指定項目として「ＩＰＣ」を指定する。ハイライト付与文字として入力した文字がキーワードであれば、指定項目として「発明の名称」、「要約」、「請求の範囲」、「利用分野」、及び「明細書」から選択することができる。
指定項目での指定は、図８に示す指定項目欄８ｃで行う。指定項目欄８ｃは、プルダウンによって複数の指定項目が表示され、いずれかの指定項目を選択する。指定項目欄８ｃは、条件式毎に設けられている。
また、ステップ１０において、重み付けを指定する。図８では第１ハイライト付与文字に対しては重み付けを「５」とした場合を示している。
重み付けの指定は、図８に示す重み付け欄８ｄで行う。重み付け欄８ｄは、複数の重み付けが表示され、いずれかの重み付けを選択する。重み付け欄８ｄは、条件式毎に設けられている。
ステップ６からステップ１０までの入力及び指定が終了すると第１ハイライト付与文字に対する入力及び指定が完了する。
ステップ１１において、他色のハイライト付与文字を入力する場合には、ステップ６に戻って第２ハイライト付与文字に対する入力を行う。
ステップ１１において、他色のハイライト付与文字を入力しない場合には、ハイライト付与文字の入力が完了する。
【００２１】
異なる条件式となるハイライト付与文字の入力が完了すると、論理式として用いる条件式の指定を行う（ステップ１２）。
条件式の指定は、図８に示す選択欄８ｅを指定することによって行う。図８では、「集合Ｎｏ．０１」、「集合Ｎｏ．０２」、及び「集合Ｎｏ．０３」の３つの条件式を論理式として指定した状態を示している。
ステップ１２において条件式を指定した後に、処理開始指示を行う（ステップ１３）。
ステップ１３における処理開始指示は、図８に示す処理実行表示８ｆを指示することで行う。
ステップ１３において処理開始指示が行われると、ステップ１２で指定した条件式による論理式を確定させ、評価情報データベース１２に確定させた論理式を登録する（ステップ１４）。
ステップ１３において処理開始指示が行われると、ステップ１４における論理式の登録とともに、この論理式で用いる条件式となるハイライト付与文字を、ハイライト付与文字検索部４１で検索する（ステップ１５）。
ステップ１５におけるハイライト付与文字の検索は、案件毎に、条件式別に行われる。
ステップ１５におけるハイライト付与文字の検索が行われた後に、重み付けが付与されているか否かを判断する（ステップ１６）。
ステップ１６において、重み付けが付与されている場合には、重み付け処理部４３によって重み付け処理を行う（ステップ１７）。
ステップ１７による重み付け処理が行われた後、又はステップ１６において、重み付けが付与されていない場合には、ハイライト付与率演算部４２でハイライトの付与率が演算される（ステップ１８）。
【００２２】
例えば、第１案件はハイライト付与文字を全く含まず、第２案件は条件式１による第１ハイライト付与文字だけを含み、第３案件は条件式２による第２ハイライト付与文字だけを含み、第４案件は条件式１による第１ハイライト付与文字及び条件式２による第２ハイライト付与文字を含み、第５案件は条件式１による第１ハイライト付与文字、条件式２による第２ハイライト付与文字、及び条件式３による第３ハイライト付与文字を含むとする。
重み付けが付与されていない場合には、第１案件のハイライト付与率は「０％」、第２案件のハイライト付与率は「３３．３％」、第３案件のハイライト付与率は「３３．３％」、第４案件のハイライト付与率は「６６．６％」、第５案件のハイライト付与率は「１００％」となる。
重み付けが付与されている場合には、例えば、図８に示すように、条件式１の重み付けを「５」、条件式２の重み付けを「２」、条件式３の重み付けを「３」とすると、重み付け処理を行うことで、第１案件のハイライト付与率は「０％」、第２案件のハイライト付与率は「５／１０＝５０％」、第３案件のハイライト付与率は「２／１０＝２０％」、第４案件のハイライト付与率は「５／１０＋２／１０＝７０％」、第５案件のハイライト付与率は「５／１０＋２／１０＋１０／３＝１００％」となる。  
ステップ１８においてハイライト付与率演算部４２で演算されたハイライト付与率は、評価情報データベース１２に登録される（ステップ１９）。
【００２３】
図３に示すように、ステップ２０において抄録一覧表示が指定されると、ハイライト表示処理部４４でハイライト表示処理が行われる（ステップ２１）。
ステップ２１におけるハイライト表示処理は、評価情報データベース１２に登録された条件式別のハイライト付与文字と着色の情報を用い、特許情報データベース１１に登録されたそれぞれの案件データ中の該当文字に着色表示の処理を行う。
ステップ２１におけるハイライト処理が行われると、抄録一覧画面が表示される（ステップ２２）。
ステップ２２における抄録一覧画面の表示では、ハイライト表示処理部４４で付与された着色を表示するとともに、案件データ別に、評価情報データベース１２に登録されているハイライト付与率を表示手段３０に表示する。
図９は、ステップ２２における抄録一覧画面を示している。
図９に示すように、抄録一覧画面では評価欄９ａを有しており、この評価欄９ａに評価結果や評価理由を入力することができる（ステップ２３）。
ステップ２３において入力された評価結果や評価理由は、評価情報データベース１２に登録される。
【００２４】
図４に示すように、ステップ３０において特許一覧表示が指定されると、ソート条件指定画面が表示される（ステップ３１）。
図１０は、ステップ３１におけるソート条件指定画面を示している。
図１０に示すように、ソート条件指定画面では複数のソート欄１０ａ、１０ｂ、１０ｃを有しており、これらのソート欄１０ａ、１０ｂ、１０ｃにソート条件を指定することができる（ステップ３２）。
図１０では、最優先ソート条件として、ソート欄１０ａにハイライト付与率を、２番目のソート条件として、ソート欄１０ｂに権利者・出願人名を指定した状態を示している。
図１０において、ソート条件を指定した後に、確定表示１０ｄを指示することで、ソート処理部４５においてソート処理が行われる（ステップ３３）。
ステップ３３におけるソート処理は、評価情報データベース１２に登録された案件別のハイライト付与率の情報を用い、特許情報データベース１１に登録されたそれぞれの案件についてソート処理を行う。
ステップ３３におけるソート処理が行われると、特許一覧画面が表示される（ステップ３４）。
図１１は、ステップ３４における特許一覧画面を示している。
図１１に示すように、特許一覧画面ではハイライト付与率欄１１ａを有しており、このハイライト付与率欄１１ａにハイライト付与率が表示される。
【００２５】
図５に示すように、表示手段３０に条件入力画面を表示し（ステップ４１）、論理式を入力する（ステップ４２）。
図１２は、ステップ４１における条件入力画面である。
図１２に示すように、条件入力画面では、入力手段２０から論理式を入力欄１２ａに入力できるとともに、既に登録している論理式を選択欄１２ｂから選択できる。
ステップ４２における論理式の入力は、図１２に示す論理式欄１２ｃで行う。
ステップ４２における論理式の入力が行われた後に、処理開始の指示を行う（ステップ４３）。
ステップ４３における処理開始指示は、図１２に示す処理実行欄１２ｄを指示することで行われる。
ステップ４３における処理開始指示が行われると、評価情報データベース１２からそれぞれの案件に対して、付与されたハイライト付与率を抽出し（ステップ４４）、評価完了有無の情報を抽出する（ステップ４５）。
図１２に示すように、論理式欄１２ｃで複数の論理式「０８４」、「０８５」、及び「０８６」が入力されている場合には、ステップ４６において他の論理式有と判断して、それぞれの論理式「０８４」、「０８５」、及び「０８６」についてステップ４４及びステップ４５での抽出を行う。
ステップ４７における表示分類指示では、例えば出願人・権利者名や技術分類を指示することができる。
ステップ４７における表示分類指示が行われると、表示分類別で評価有無別のハイライト付与率別の集計が行われる（ステップ４８）。
なお、ステップ４２における論理式入力において、複数の論理式が入力された場合には、１つの案件に対して、それぞれの論理式に対応する複数のハイライト付与率が付与されている。このように、１つの案件に対して複数のハイライト付与率が付与されている場合には、複数のハイライト付与率を比較して、最も大きな付与率を採用する。
例えば、複数の論理式「０８４」、「０８５」、及び「０８６」が入力され、１つの案件に対して、論理式「０８４」による付与率が「３３．３％」、論理式「０８５」による付与率が「０％」、論理式「０８６」による付与率が「６７％」であったとすると、この案件に対するハイライト付与率は「６７％」とする。
【００２６】
ステップ４８における集計の結果は、算定結果画面に表示される（ステップ４９）。
図１３は、ステップ４９における算定結果画面である。
図１３では、ステップ４７における表示分類指示で出願人・権利者名を指示した場合を示している。
図１３に示す算定結果画面では、縦軸を出願人・権利者名別に区分し、横軸をハイライト付与率によって区分している。例えば「５０％〜」の表示欄１３ａでは、ハイライト付与率が５０％〜４１％である案件数を８３２として該当案件表示欄１３ｂに表示し、８３２件中の未評価件数を７６８として未処理表示欄１３ｃに表示している。
【００２７】
なお、図５では、ステップ４２で入力した複数の論理式に対して、図１３に示す算定結果画面を表示手段３０に表示する処理流れを示したが、ステップ４６の後に、ステップ２２における抄録一覧画面表示や、ステップ３４における特許一覧画面表示を行ってもよい。
また、ステップ４９における算定結果画面の後に、ステップ２２における抄録一覧画面表示や、ステップ３４における特許一覧画面表示を行ってもよい。
また、ステップ２０における抄録一覧表示指示、ステップ３０における特許一覧表示指定に先だって、複数の論理式を入力することもできる。
【００２８】
以下に複数の論理式を入力した場合のハイライト付与率と着色の付与について説明する。
ここでは、ステップ４２における論理式として、入力手段２０から第１論理式と第２論理式とを入力する場合について説明するが、既に説明したように３つ以上の論理式を入力してもよい。
なお、第１論理式に対しては、条件式としてのハイライト付与文字として、少なくとも第１条件としての第１ハイライト付与文字と、第２条件としての第２ハイライト付与文字とを入力できる。ここで、第１条件としての第１ハイライト付与文字に対しては、着色として例えば赤色である第１着色を指定でき、第２条件としての第２ハイライト付与文字に対しては、着色として例えば青色である第２着色を指定できる。
また、第２論理式に対しては、条件式としてのハイライト付与文字として、少なくとも第３条件としての第３ハイライト付与文字と、第４条件としての第４ハイライト付与文字とを入力できる。ここで、第３条件としての第３ハイライト付与文字に対しては、着色として例えは黄色である第３着色を指定でき、第４条件としての第４ハイライト付与文字に対しては、着色として例えば緑色である第４着色を指定できる。
このように、入力手段２０から第１論理式と第２論理式とを入力した場合には、ステップ１５において、ハイライト付与文字検索部４１では、第１論理式に対して、案件データ別に、第１ハイライト付与文字及び第２ハイライト付与文字を含むか否かを検索し、第２論理式に対して、案件データ別に、第３ハイライト付与文字及び第４ハイライト付与文字を含むか否かを検索する。
そして、ステップ１８において、ハイライト付与率演算部４２では、第１論理式に対して、案件データ別に、ハイライト付与文字を全く含まないか、第１ハイライト付与文字だけを含むか、第２ハイライト付与文字だけを含むか、又は第１ハイライト付与文字及び第２ハイライト付与文字を含むかによる第１論理式ハイライト付与率を演算し、第２論理式に対して、案件データ別に、ハイライト付与文字を全く含まないか、第３ハイライト付与文字だけを含むか、第４ハイライト付与文字だけを含むか、又は第３ハイライト付与文字及び第４ハイライト付与文字を含むかによる第２論理式ハイライト付与率を演算する。
なお、ステップ１８におけるハイライト付与率の演算にあたっては、重み付けが付与されている場合には、ステップ１７における重み付け処理が行われる。
【００２９】
また、ステップ１９において既に第１論理式及び第２論理式についてのハイライト付与率が評価情報データベース１２に登録されている場合には、ステップ４４において、第１論理式及び第２論理式についてのハイライト付与率が抽出される。
ソート処理部４５では、案件データ別に付与された第１論理式ハイライト付与率と第２論理式ハイライト付与率とを比較して、数値の大きい付与率を案件データのハイライト付与率として選択する。例えば、第１案件について、第１論理式ハイライト付与率が「３３．３％」で第２論理式ハイライト付与率が「６６．６％」の場合には、第２論理式ハイライト付与率である「６６．６％」を第１案件のハイライト付与率とする。
ステップ３３におけるソート処理では、ソート処理部４５で選択されたハイライト付与率を用いる。従って、ステップ３３におけるソート処理では、選択されたハイライト付与率によって案件データを並べ替える。
また、ステップ４８におけるハイライト付与率別集計においても、ソート処理部４５で選択されたハイライト付与率を用いる。
ハイライト表示処理部４４では、第１ハイライト付与文字に対しては第１着色を付与し、第２ハイライト付与文字に対しては第２着色を付与し、第３ハイライト付与文字に対しては第３着色を付与し、第４ハイライト付与文字に対しては第４着色を付与する。
ただし、ステップ３３におけるソート処理で、ソート処理部４５で選択されたハイライト付与率を用いる場合には、ステップ２２における抄録一覧画面では、選択されたハイライト付与率に対応する論理式による着色だけ、選択されなかったハイライト付与率に対応する論理式による着色だけ、選択されたハイライト付与率にかかわらず、全ての論理式による着色を付与することを、入力手段２０から指示できることが好ましい。
選択されなかったハイライト付与率に対応する論理式が複数ある場合には、それぞれの論理式別に着色を付与することを入力手段２０から指示できる。
なお、同じハイライト付与文字に対して、異なる論理式で異なる色の着色が指定されている場合には、選択されたハイライト付与率に対応する論理式による着色を付与する。
従って、選択されたハイライト付与率に対応する論理式による着色だけを入力手段２０によって指示された場合には、ハイライト表示処理部４４では、選択されたハイライト付与率に対応する論理式による着色だけを行う。
また、選択されなかったハイライト付与率に対応する論理式による着色だけを入力手段２０によって指示された場合には、ハイライト表示処理部４４では、選択されなかったハイライト付与率に対応する論理式による着色だけを行う。
また、全ての論理式による着色を付与することを入力手段２０によって指示された場合には、ハイライト表示処理部４４では、全ての論理式による着色を付与する。
全ての論理式による着色を付与することを入力手段２０によって指示された場合で、第１論理式に対する第１条件としての第１ハイライト付与文字と、第２論理式に対する第３条件としての第３ハイライト付与文字とが同じハイライト付与文字を含む場合には、ハイライト表示処理部４４では、第１論理式及び第２論理式に共通するハイライト付与文字には、選択されたハイライト付与率に対応する論理式による着色を付与する。
【００３０】
例えば、第１案件に対して、第１論理式ハイライト付与率が「３３．３％」で第２論理式ハイライト付与率が「６６．６％」の場合には、第２論理式ハイライト付与率が選択される。
この場合の着色付与について以下に説明する。
まず、選択されたハイライト付与率に対応する論理式による着色だけを指示する場合には、ステップ２２における抄録一覧画面では、第１案件に対して、第２論理式に対する第３条件としての第３ハイライト付与文字色である黄色（第３着色）と、第２論理式に対する第４条件としての第４ハイライト付与文字色である緑色（第４着色）とが付与される。
次に、選択されなかったハイライト付与率に対応する論理式による着色だけを指示する場合には、ステップ２２における抄録一覧画面では、第１案件に対して、第１論理式に対する第１条件としての第１ハイライト付与文字色である赤色（第１着色）と、第１論理式に対する第２条件としての第２ハイライト付与文字色である青色（第２着色）とが付与される。
また、選択されたハイライト付与率にかかわらず、全ての論理式による着色を指示する場合には、ステップ２２における抄録一覧画面では、第１案件に対して、第１論理式に対する第１条件としての第１ハイライト付与文字色である赤色（第１着色）と、第１論理式に対する第２条件としての第２ハイライト付与文字色である青色（第２着色）と、第２論理式に対する第３条件としての第３ハイライト付与文字色である黄色（第３着色）と、第２論理式に対する第４条件としての第４ハイライト付与文字色である緑色（第４着色）とが付与される。
全ての論理式による着色を指示する場合で、異なる論理式で、同じハイライト付与文字に対して異なる色の着色が指定されている場合について以下に説明する。
例えば、第１論理式に対する第１条件としての第１ハイライト付与文字と、第２論理式に対する第３条件としての第３ハイライト付与文字とが同じハイライト付与文字を含むとする。すなわち、例えば第１ハイライト付与文字として「ゴルフ」というキーワードを含み、第３ハイライト付与文字として「ゴルフ」というキーワードを含むとする。
この場合には、「ゴルフ」というキーワードは、第１論理式に対する第１条件としての第１ハイライト付与文字色は赤色（第１着色）であり、第２論理式に対する第３条件としての第３ハイライト付与文字色は黄色（第３着色）であるが、選択されたハイライト付与率に対応する論理式による着色、すなわち、選択された第２論理式に対する第３条件としての第３ハイライト付与文字色である黄色（第３着色）を「ゴルフ」というキーワードに付与する。
【００３１】
以上のように本実施例によれば、異なる論理式に基づくハイライト付与率を併せて並べ替えを行えるため、それぞれの論理式での条件を多くして対象案件を絞り込んだ後に、統合して評価を行うことができる。
また、本実施例によれば、論理式別に、複数のハイライト文字の重み付けを変更できるため、案件データに対する評価を更に行いやすい。
また、本実施例によれば、論理式別に、キーワード検索とともにＦＩやＦタームを併せて用いることができ、案件データに対する評価を行いやすい。
【産業上の利用可能性】
【００３２】
本発明は、国内における特許公報だけなく、中国や米国などの外国の特許公報についても利用できる。
【符号の説明】
【００３３】
１０  情報データベース
１１  特許情報データベース
１２  評価情報データベース
１３  管理情報データベース
２０  入力手段
３０  表示手段
４０  処理手段
４１  ハイライト付与文字検索部
４２  ハイライト付与率演算部
４３  重み付け処理部
４４  ハイライト表示処理部
４５  ソート処理部
【手続補正２】
【補正対象書類名】特許請求の範囲
【補正対象項目名】全文
【補正方法】変更
【補正の内容】
【特許請求の範囲】
【請求項１】
設定したテーマに基づく案件データを収集した特許情報データを特許情報データベースに蓄積し、着色を付与したいハイライト付与文字を入力手段から入力し、前記ハイライト付与文字に対して前記着色を付与して前記特許情報データを表示し、
前記入力手段では、
前記ハイライト付与文字として、少なくとも第１ハイライト付与文字と第２ハイライト付与文字とを入力でき、
前記第１ハイライト付与文字に対しては、前記着色として第１着色を指定でき、前記第２ハイライト付与文字に対しては、前記着色として第２着色を指定でき、
前記案件データ別に利用者によって入力される評価情報を蓄積する評価情報データベースを備えた特許情報処理装置であって、
表示手段における表示では、
少なくとも１つのキーワードまたは技術分類の文字が入力でき、且つ複数の前記文字が入力される場合は択一的条件（ＯＲ条件）で入力可能な用語指定欄をそれぞれがＡＮＤ条件になるように複数有し、
前記用語指定欄毎の入力文字に対し、前記技術分類の書誌的項目、または「名称」、「要約」、「請求の範囲」、若しくは「明細書」の文章項目が選択的に指定可能な指定項目を有し、
処理手段には、
前記案件データ別に、前記第１ハイライト付与文字及び前記第２ハイライト付与文字を含むか否かを検索するハイライト付与文字検索部と、
前記案件データ別に、前記ハイライト付与文字を全く含まないか、前記第１ハイライト付与文字だけを含むか、前記第２ハイライト付与文字だけを含むか、又は前記第１ハイライト付与文字及び前記第２ハイライト付与文字を含むかの検索結果に基づいて、前記案件データが前記用語指定欄に入力された条件に対する関連の程度を数値化するためのハイライト付与率を演算するハイライト付与率演算部と、
前記第１ハイライト付与文字に対しては前記第１着色を付与し、前記第２ハイライト付与文字に対しては前記第２着色を付与するハイライト表示処理部と
を有し、
前記表示手段では、
前記案件データ別に、前記ハイライト表示処理部で付与された前記着色を表示するとともに、前記ハイライト付与率演算部で演算され、前記評価情報データベースに登録された前記ハイライト付与率を表示し、
前記案件データ別に、前記ハイライト付与率を表示して前記評価情報データベースに前記評価情報を登録する評価欄を備えたことを特徴とする特許情報処理装置。
【請求項２】
前記入力手段では、前記第１ハイライト付与文字と前記第２ハイライト付与文字とのそれぞれに、前記ハイライト付与率演算部による演算の基礎となる選択可能な複数の重み付け値を指定でき、
前記ハイライト付与率演算部は、前記重み付け値の総合計と着色されたハイライト付与文字の重み付け値とにより、前記ハイライト付与率の演算処理を行うことを特徴とする請求項１に記載の特許情報処理装置。
【請求項３】
前記評価情報データベースには、前記処理手段により演算処理された前記ハイライト付与率が前記案件データ別に登録され、当該ハイライト付与率に基づいて、２軸のマトリクス表示による算定結果画面により案件数集計結果を表示するようにしたことを特徴とする請求項１又は請求項２に記載の特許情報処理装置。
【請求項４】
前記処理手段には、前記案件データ別に登録された前記ハイライト付与率をソート条件指定画面により選択可能としたソート処理部を有することを特徴とする請求項１又は請求項２又は請求項３に記載の特許情報処理装置。
【請求項５】
設定したテーマに基づく案件データを収集した特許情報データを特許情報データベースに蓄積し、着色を付与したいハイライト付与文字を入力手段から入力し、前記ハイライト付与文字に対して前記着色を付与して前記特許情報データを表示し、
前記入力手段では、
少なくとも第１論理式と第２論理式とを入力でき、
前記第１論理式に対しては、
前記ハイライト付与文字として、少なくとも第１ハイライト付与文字と第２ハイライト付与文字とを入力でき、
前記第１ハイライト付与文字に対しては、前記着色として第１着色を指定でき、
前記第２ハイライト付与文字に対しては、前記着色として第２着色を指定でき、
前記第２論理式に対しては、
前記ハイライト付与文字として、少なくとも第３ハイライト付与文字と第４ハイライト付与文字とを入力でき、
前記第３ハイライト付与文字に対しては、前記着色として第３着色を指定でき、
前記第４ハイライト付与文字に対しては、前記着色として第４着色を指定でき、
前記案件データ別に利用者によって入力される評価情報を蓄積する評価情報データベースを備えた特許情報処理装置であって、
表示手段における表示では、
少なくとも１つのキーワードまたは技術分類の文字が入力でき、且つ複数の前記文字が入力される場合は択一的条件（ＯＲ条件）で入力可能な用語指定欄をそれぞれがＡＮＤ条件になるように複数有し、
前記用語指定欄毎の入力文字に対し、前記技術分類の書誌的項目、または「名称」、「要約」、「請求の範囲」、若しくは「明細書」の文章項目が選択的に指定可能な指定項目を有し、
処理手段には、ハイライト付与文字検索部と、ハイライト付与率演算部と、ハイライト表示処理部と、ソート処理部とを有し、
前記ハイライト付与文字検索部では、
前記第１論理式に対して、前記案件データ別に、前記第１ハイライト付与文字及び前記第２ハイライト付与文字を含むか否かを検索し、
前記第２論理式に対して、前記案件データ別に、前記第３ハイライト付与文字及び前記第４ハイライト付与文字を含むか否かを検索し、
前記ハイライト付与率演算部では、
前記第１論理式に対して、前記案件データ別に、前記ハイライト付与文字を全く含まないか、前記第１ハイライト付与文字だけを含むか、前記第２ハイライト付与文字だけを含むか、又は前記第１ハイライト付与文字及び前記第２ハイライト付与文字を含むかの検索結果に基づいて、前記案件データが前記用語指定欄に入力された条件に対する関連の程度を数値化するための第１論理式ハイライト付与率を演算し、
前記第２論理式に対して、前記案件データ別に、前記ハイライト付与文字を全く含まないか、前記第３ハイライト付与文字だけを含むか、前記第４ハイライト付与文字だけを含むか、又は前記第３ハイライト付与文字及び前記第４ハイライト付与文字を含むかの検索結果に基づいて、前記案件データが前記用語指定欄に入力された条件に対する関連の程度を数値化するための第２論理式ハイライト付与率を演算し、
前記ハイライト表示処理部では、
前記第１ハイライト付与文字に対しては前記第１着色を付与し、前記第２ハイライト付与文字に対しては前記第２着色を付与し、前記第３ハイライト付与文字に対しては前記第３着色を付与し、前記第４ハイライト付与文字に対しては前記第４着色を付与し、
前記ソート処理部では、
前記案件データ別に付与された前記第１論理式ハイライト付与率と前記第２論理式ハイライト付与率とを比較して、数値の大きい付与率を前記案件データのハイライト付与率として選択し、前記特許情報データについて、選択された前記ハイライト付与率によって前記案件データを並べ替え、
前記表示手段では、
前記案件データ別に、前記評価情報データベースに登録された前記ハイライト付与率を表示して前記評価情報データベースに前記評価情報を登録する評価欄を備えたことを特徴とする特許情報処理装置。
【請求項６】
前記入力手段では、
前記第１論理式に対しては、
前記第１ハイライト付与文字と前記第２ハイライト付与文字との重み付けを指定でき、
前記第２論理式に対しては、
前記第３ハイライト付与文字と前記第４ハイライト付与文字との重み付けを指定でき、
前記処理手段には重み付け処理部を有し、
前記重み付け処理部では、
前記第１論理式に対して前記重み付けが指定されている場合には、前記ハイライト付与率演算部での前記第１論理式ハイライト付与率の演算にあたって、前記第１論理式で指定された前記重み付けの処理を行い、
前記第２論理式に対して前記重み付けが指定されている場合には、前記ハイライト付与率演算部での前記第２論理式ハイライト付与率の演算にあたって、前記第２論理式で指定された前記重み付けの処理を行うことを特徴とする請求項５に記載の特許情報処理装置。
【請求項７】
前記第１ハイライト付与文字、前記第２ハイライト付与文字、前記第３ハイライト付与文字、及び前記第４ハイライト付与文字は、それぞれが複数の異なる前記文字を前記択一的条件で入力できるとともに、前記ハイライト付与文字としてＦＩ及びＦタームを入力できることを特徴とする請求項５又は請求項６に記載の特許情報処理装置。